(57)【要約】【課題】使用者が自分で上側押圧体と下側押圧体との湾曲度の調節をしてまつ毛の生え際に丁度合ったものにすることができ、まつ毛が引っ張られたりして使用感が悪くなることなく、カールの仕上げを綺麗にすることができるまつ毛カール器を提供する。【解決手段】鋏式に開閉する一対の指掛レバー１、２にそれぞれの間隔を変更可能とした二股状支持杆３、４を連設し、これら二股状支持杆３、４を交差させた状態にして、支軸間寸法を変更可能とした支軸部材５により軸支し、一方の二股状支持杆３の上端には、湾曲度を自由に変更可能とした円弧状の上側押圧体６が掛け渡され、さらにこの上側押圧体６の下方において二股状支持杆３に沿って、湾曲度を自由に変更可能とした円弧状の下側押圧体７が上下動自在に掛け渡され、他方の二股状支持杆４の上端には、リンク杆８の下端部を回動自在に連結し、このリンク杆８の上部を前記下側押圧体７に回動自在に連結した。【選択図】　　　　図１
2004081291.tif 000002
【特許請求の範囲】
【請求項１】
鋏式に開閉する一対の指掛レバー（１、２）にそれぞれの間隔を変更可能とした二股状支持杆（３、４）を連設し、これら二股状支持杆（３、４）を交差させた状態にして、支軸間寸法を変更可能とした支軸部材（５）により軸支し、一方の二股状支持杆（３）の上端には、湾曲度を自由に変更可能とした円弧状の上側押圧体（６）が掛け渡され、さらにこの上側押圧体（６）の下方において二股状支持杆（３）に沿って、湾曲度を自由に変更可能とした円弧状の下側押圧体（７）が上下動自在に掛け渡され、他方の二股状支持杆（４）の上端には、リンク杆（８）の下端部を回動自在に連結し、このリンク杆（８）の上部を前記下側押圧体（７）に回動自在に連結したことを特徴とするまつ毛カール器。
【請求項２】
前記二股状支持杆（３）の支持杆部（３ａ、３ａ）の間隔（Ｌ１　）および二股状支持杆（４）の支持杆部（４ａ、４ａ）の間隔（Ｌ２　）を変更可能としたことを特徴とする請求項１記載のまつ毛カール器。
【請求項３】
前記支軸部材（５）を、何れか一方を逆ネジとしたネジ（１１、１２）の一方を、二股状支持杆（３、４）の一方の交差部にそれぞれ設けた通孔から貫通させると共に、前記ネジ（１１、１２）の他方を、前記二股状支持杆（３、４）の他方の交差部にそれぞれ設けた通孔から貫通させ、これらネジ（１１、１２）のネジ部（１１ａ、１２ａ）をスリーブナット（１３）にねじ込んだものとしたことを特徴とする請求項１記載のまつ毛カール器。
【請求項４】
前記支軸部材（５）を、二股状支持杆（３、４）の一方の交差部にそれぞれ設けた通孔から、他方の交差部にそれぞれ設けた通孔に向かってネジ（１４）を貫通させ、このネジ（１４）のネジ部（１４ａ）に締付具（１５）をねじ込んだものとしたことを特徴とする請求項１記載のまつ毛カール器。
【請求項５】
前記上側押圧体（６）および下側押圧体（７）を、その表側または裏側に並列させた多数の切込部（１６、１７）を形成することにより湾曲するものとしたことを特徴とする請求項１記載のまつ毛カール器。
【発明の詳細な説明】
【０００１】
【発明の属する技術分野】
この発明は、まつ毛にカールを付けるためのまつ毛カール器に関するものである。
【０００２】
【従来の技術】
従来、この種のまつ毛カール器には、まつ毛全体の幅とほぼ等しい長さを有し、使用者のまつ毛の生え際に沿うように円弧状に湾曲させた上側押圧体と、この上側押圧体と同様に円弧状に湾曲させた下側押圧体との間に、まつ毛を挟み込み、鋏を握るように操作レバーを操作をして、その挟み込まれたまつ毛を押圧し、まつ毛にカールを付けるようにしたものが存在する。
【０００３】
この従来のまつ毛カール器は、上側押圧体と下側押圧体とを、使用者のまつ毛の生え際に沿うように円弧状に湾曲させているといっても、その湾曲度には個人差があるので、その曲率半径を１８ｍｍ位〜２０ｍｍ位まで０．５ｍｍ間隔、すなわち１８．０ｍｍ、１８．５ｍｍ、１９．０ｍｍ、１９．５ｍｍ、２０．０ｍｍなどに調整したものが、現在市販されている。
【０００４】
そして、使用者は、これらの市販されている曲率半径のものから、使用者のまつ毛の生え際に丁度合うと思うものを選択して、購入する。
【０００５】
【発明が解決しようとする課題】
しかし、従来のまつ毛カール器では、実際に購入して使用した場合に、前記上側押圧体と下側押圧体との湾曲度が使用者のまつ毛の生え際に丁度合わず、まつ毛が引っ張られたりして使用感が悪くても、その湾曲度を調整することができず、非常に不便であるという課題を有していた。
【０００６】
また、従来のまつ毛カール器では、その曲率半径を１８ｍｍ位〜２０ｍｍ位まで０．５ｍｍ間隔で調整しているといっても曲率半径が決まっているので、微妙な曲率半径の調節をして使用者のまつ毛の生え際に丁度合ったものにするということができないという課題を有していた。
【０００７】
そこで、この発明は、上記従来の課題を解決するものであり、使用者が自分で上側押圧体と下側押圧体との湾曲度の調節をしてまつ毛の生え際に丁度合ったものにすることができ、まつ毛が引っ張られたりして使用感が悪くなることなく、カールの仕上げを綺麗にすることができるまつ毛カール器を提供することを目的としてなされたものである。
【０００８】
【課題を解決するための手段】
そのため、この発明のまつ毛カール器は、鋏式に開閉する一対の指掛レバー１、２にそれぞれの間隔を変更可能とした二股状支持杆３、４を連設し、これら二股状支持杆３、４を交差させた状態にして、支軸間寸法を変更可能とした支軸部材５により軸支し、一方の二股状支持杆３の上端には、湾曲度を自由に変更可能とした円弧状の上側押圧体６が掛け渡され、さらにこの上側押圧体６の下方において二股状支持杆３に沿って、湾曲度を自由に変更可能とした円弧状の下側押圧体７が上下動自在に掛け渡され、他方の二股状支持杆４の上端には、リンク杆８の下端部を回動自在に連結し、このリンク杆８の上部を前記下側押圧体７に回動自在に連結したものとしている。
【０００９】
そして、この発明のまつ毛カール器は、前記二股状支持杆３の支持杆部３ａ、３ａの間隔Ｌ１　および二股状支持杆４の支持杆部４ａ、４ａの間隔Ｌ２　を変更可能としたものとしている。
【００１０】
さらに、この発明のまつ毛カール器は、前記支軸部材５を、何れか一方を逆ネジとしたネジ１１、１２の一方を、二股状支持杆３、４の一方の交差部にそれぞれ設けた通孔から貫通させると共に、前記ネジ１１、１２の他方を、前記二股状支持杆３、４の他方の交差部にそれぞれ設けた通孔から貫通させ、これらネジ１１、１２のネジ部１１ａ、１２ａをスリーブナット１３にねじ込んだものとしている。
【００１１】
また、この発明のまつ毛カール器は、前記支軸部材５を、二股状支持杆３、４の一方の交差部にそれぞれ設けた通孔から、他方の交差部にそれぞれ設けた通孔に向かってネジ１４を貫通させ、このネジ１４のネジ部１４ａに締付具１５をねじ込んだものとしている。
【００１２】
さらにまた、この発明のまつ毛カール器は、前記上側押圧体６および下側押圧体７を、その表側または裏側に並列させた多数の切込部１６、１７を形成することにより湾曲するものとしている。
【００１３】
【発明の実施の形態】
以下、この発明のまつ毛カール器の実施の形態を、図面に基づいて詳細に説明する。
【００１４】
この発明のまつ毛カール器は、図１、２に示すように、鋏式に開閉する一対の指掛レバー１、２にそれぞれの間隔を変更可能とした二股状支持杆３、４を連設したものとしている。そして、これら二股状支持杆３、４は、交差させた状態にして、支軸間寸法を変更可能とした支軸部材５により軸支され、一方の二股状支持杆３の上端には、湾曲度を自由に変更可能とした円弧状の上側押圧体６が掛け渡されている。さらに、この上側押圧体６の下方において二股状支持杆３に沿って、湾曲度を自由に変更可能とした円弧状の下側押圧体７が上下動自在に掛け渡されている。また、他方の二股状支持杆４の上端には、リンク杆８の下端部を回動自在に連結し、このリンク杆８の上部を前記下側押圧体７に回動自在に連結したものとしている。
【００１５】
前記指掛レバー１、２および二股状支持杆３、４は、鋼線などの金属線よりなるものとしている。指掛レバー１、２は、金属線を折り曲げて輪形状などとし、指を掛け易くしている。二股状支持杆３、４は、指掛レバー１、２を形成した金属線の両端部を適宜間隔をおいて平行に延長したものとし、支持杆部３ａ、３ａの間隔Ｌ１　および支持杆部４ａ、４ａの間隔Ｌ２　を変更可能としている。また、支持杆部３ａ、３ａおよび支持杆部４ａ、４ａは、それぞれが外方へ弾力を付された状態としたものとすることができる。なお、前記指掛レバー１、２および二股状支持杆３、４は、合成樹脂材などからなるものとすることもできる。
【００１６】
前記支軸部材５は、図３に示したように、二股状支持杆３、４の一方の交差部にそれぞれ設けた通孔（図示せず）からネジ１１を貫通させると共に、他方の交差部にそれぞれ設けた通孔（図示せず）からネジ１２を貫通させ、これらネジ１１、１２のネジ部１１ａ、１２ａをスリーブナット１３にねじ込んだものとしている。この場合、ネジ１１、１２の何れか一方は逆ネジとしている。このようにすると、スリーブナット１３を正逆回転させることにより、支軸部材５の支軸間寸法を変更することができる。
【００１７】
また、前記支軸部材５は、図４に示したように、二股状支持杆３、４の一方の交差部にそれぞれ設けた通孔（図示せず）から、他方の交差部にそれぞれ設けた通孔（図示せず）に向かってネジ１４を貫通させ、このネジ１４のネジ部１４ａに締付具１５をねじ込んだものとしている。このようにすると、締付具１５を締め付けたり、緩めたりすることにより、支軸部材５の支軸間寸法を変更することができる。なお、締付具１５としては、図示したような蝶ナットの他に、ローレットナット、六角ナットなどを用いることができる。
【００１８】
前記上側押圧体６は、合成樹脂などにより円弧状に変形可能に形成したものとしており、図５〜７に示したように、その表側または裏側（図示したものでは裏側）に並列させた多数の切込部１６を形成することにより湾曲するものとし、その曲率半径を１６ｍｍ位〜２２ｍｍ位までの間で、湾曲度を自由に変更可能としている。さらに、この上側押圧体６の下端に沿うようにして、まつ毛の上側押圧部６ａを突設したものとしている。
【００１９】
前記下側押圧体７は、合成樹脂などにより円弧状に変形可能に形成したものとしており、図８〜１０に示したように、その表側または裏側（図示したものでは裏側）に並列させた多数の切込部１７を形成することにより湾曲するものとし、その曲率半径を１６ｍｍ位〜２２ｍｍ位までの間で、湾曲度を自由に変更可能としている。さらに、この下側押圧体７の上端に沿うようにして、まつ毛の下側押圧部７ａを突設したものとしている。この下側押圧部７ａは、弾性合成樹脂よりなり、前記下側押圧体７の上端に形成された嵌合溝７ｂにその上部を突出するようにして嵌め込まれたものとしている。また、前記下側押圧体７を二股状支持杆３に沿って上下動自在に掛け渡すには、図に示したものでは、下側押圧体７の両端に貫通孔７ｃを形成し、これら貫通孔７ｃに二股状支持杆３を貫通させたものとしているが、これに限定されることはない。
【００２０】
なお、前記上側押圧体６、下側押圧体７は、湾曲度を自由に変更可能とするものであれば、弾性金属薄板などとすることもできる。
【００２１】
前記リンク杆８は、鋼線などの金属線よりなるものとしており、図に示したものでは金属線を折り曲げてハット形などとし、その両下端部８ａを二股状支持杆４の上端に形成した通孔（図示せず）に遊挿することにより、この二股状支持杆４の上端に回動自在に連結したものとしている。また、前記リンク杆８は、上部８ｂを前記下側押圧体７の下端に突設した貫通部７ｄに遊貫することにより、この下側押圧体７に回動自在に連結したものとしている。したがって、前記リンク杆８は、指掛レバー１、２を開閉操作することにより、下側押圧体７を上下動させて、この下側押圧体７を上側押圧体６に押し当てたり、下側押圧体７を上側押圧体６から離間させたりすることができる。なお、前記リンク杆８は、合成樹脂材などからなるものとすることもできる。
【００２２】
以上のような構成としたこの発明のまつ毛カール器は、次のようにして使用される。
【００２３】
先ず、この発明のまつ毛カール器は、従来のまつ毛カール器と同様、使用者のまつ毛の生え際に沿うように円弧状に湾曲させた上側押圧体６と、この上側押圧体６と同様に円弧状に湾曲させた下側押圧体７との間に、まつ毛を挟み込み、指掛けレバー１、２を鋏を握るような操作をして、その挟み込まれたまつ毛を押圧し、まつ毛にカールを付ければよい。
【００２４】
ところが、このまつ毛にカールを付けをするときに、前記上側押圧体６と下側押圧体７との湾曲度が使用者のまつ毛の生え際に丁度合っていない場合には、図１〜３に示したこの発明のまつ毛カール器では、スリーブナット１３を正逆転させれば、ネジ１１、１２が締め付けられたり、緩められて、図１１〜１４に示したように、支軸部材５の支軸間寸法が変化し、二股状支持杆３の支持杆部３ａ、３ａの間隔Ｌ１　および二股状支持杆４の支持杆部４ａ、４ａの間隔Ｌ２　が狭められたり、広げられたりする。また、図４に示したこの発明のまつ毛カール器では、図示していないが、締付具１５を締め付けたり、緩めたりすれば、支軸部材５の支軸間寸法が変化し、二股状支持杆３の支持杆部３ａ、３ａの間隔Ｌ１　および二股状支持杆４の支持杆部４ａ、４ａの間隔Ｌ２　が狭められたり、広げられたりする。これにより、これら二股状支持杆３、４に掛け渡された上側押圧体６、下側押圧体７の湾曲度を大きくしたり、小さくしたり、変更することができるので、これらの湾曲度を使用者のまつ毛の生え際に丁度合わせることができるものとなる。
【００２５】
【発明の効果】
この発明のまつ毛カール器は、以上に述べたように構成されており、使用者が自分で上側押圧体と下側押圧体との湾曲度の調節をしてまつ毛の生え際に丁度合ったものにすることができ、まつ毛が引っ張られたりして使用感が悪くなることなく、カールの仕上げを綺麗にすることができるものとなった。
【図面の簡単な説明】
【図１】この発明のまつ毛カール器の一実施形態を示す正面図である。
【図２】図１に示すこの発明のまつ毛カール器の側面図である。
【図３】この発明のまつ毛カール器の支軸部材の断面図である。
【図４】この発明のまつ毛カール器の他の実施形態を示す正面図である。
【図５】この発明のまつ毛カール器の上側押圧体の正面図である。
【図６】この発明のまつ毛カール器の上側押圧体の平面図である。
【図７】この発明のまつ毛カール器の上側押圧体の側面図である。
【図８】この発明のまつ毛カール器の下側押圧体の正面図である。
【図９】この発明のまつ毛カール器の下側押圧体の平面図である。
【図１０】この発明のまつ毛カール器の下側押圧体の側面図である。
【図１１】図１に示すこの発明のまつ毛カール器の支軸間寸法を長くして上下側押圧体の湾曲度を小さくした状態を示す正面図である。
【図１２】図１１に示した上側押圧体の平面図である。
【図１３】図１に示すこの発明のまつ毛カール器の支軸間寸法を短くして上下側押圧体の湾曲度を大きくした状態を示す正面図である。
【図１４】図１３に示した状態の上側押圧体の平面図である。
【符号の説明】
１　指掛レバー
２　指掛レバー
３　二股状支持杆
３ａ　支持杆部
４　二股状支持杆
４ａ　支持杆部
５　支軸部材
６　上側押圧体
７　下側押圧体
８　リンク杆
１１　ネジ
１１ａ　ネジ部
１２　ネジ
１２ａ　ネジ部
１３　スリーブナット
１４　ネジ
１４ａ　ネジ部
１５　締付具
１６　切込部
１７　切込部
Ｌ１　　間隔
Ｌ２　　間隔
【図１】
2004081291.tif 000003
【図２】
2004081291.tif 000004
【図３】
2004081291.tif 000005
【図４】
2004081291.tif 000006
【図５】
2004081291.tif 000007
【図６】
2004081291.tif 000008
【図７】
2004081291.tif 000009
【図８】
2004081291.tif 000010
【図９】
2004081291.tif 000011
【図１０】
2004081291.tif 000012
【図１１】
2004081291.tif 000013
【図１２】
2004081291.tif 000014
【図１３】
2004081291.tif 000015
【図１４】
2004081291.tif 000016